(57)【要約】    【課題】表示画像に違和感を抱かせることなく表示画面の焼き付きを防止させることができる表示画面の焼付防止方法を提供することを目的とする。    【解決手段】表示画面内での画像の表示位置を全体的に所定方向に移動させつつ、かかる表示画面内において上記所定方向とは反対方向に位置する画面端部の帯状領域に補間画像を表示させる。    【選択図】  図６
2006284745.tif 000002
【特許請求の範囲】
【請求項１】
入力映像信号に対応した画像を表示する表示装置の表示画面の焼き付きを防止する表示画面の焼付防止方法であって、
所定表示モードにおいて前記表示画面内での前記画像の表示位置を全体的に所定方向に移動させる表示位置移動行程と、
前記表示画面内において前記所定方向とは反対方向に位置する画面端部の帯状領域に補間画像を表示させる画像補間行程と、を有することを特徴とする表示画面の焼付防止方法。
【請求項２】
前記所定表示モードは、前記表示画面に静止画が表示される静止画表示モードであることを特徴とする請求項１記載の表示画面の焼付防止方法。
【請求項３】
前記表示位置移動行程は、前記画像の表示位置を所定周期毎に１画素ずつ移動させることを特徴とする請求項１記載の表示画面の焼付防止方法。
【請求項４】
Ｎ画素分（Ｎは２以上の整数）の移動が為される度に前記画像の表示位置が元の位置に戻ることを特徴とする請求項１又は３記載の表示画面の焼付防止方法。
【請求項５】
前記入力映像信号に基づく画像の端部の帯状領域に対応した前記入力映像信号に基づいて、前記補間画像を生成する補間画像生成行程を更に含むことを特徴とする請求項１記載の表示画面の焼付防止方法。
【請求項６】
指定された表示色に対応した単一色の画像を前記補間画像として生成する補間画像生成行程を更に含むことを特徴とする請求項１記載の表示画面の焼付防止方法。
【発明の詳細な説明】
【技術分野】
【０００１】
本発明は、画像表示装置の表示画面の焼き付きを防止する焼付防止方法に関する。
【背景技術】
【０００２】
ＣＲＴ(Cathode Ray Tube)、プラズマディスプレイパネルの如き蛍光体の励起に伴う発光現象を利用して表示を行う表示デバイスにおいては、長時間連続して静止画像を表示しつづけると、蛍光体が劣化していわゆる焼き付きを起こす。
【０００３】
このような焼き付きを防止すべく、表示物体の画面上での表示位置を時間経過と共に徐々に強制的に移動させるようにした焼付防止方法が提案された(例えば、特許文献１参照)。
【０００４】
かかる焼付防止方法においては、先ず、静止画像中の表示物体を画面上の水平右方向に１ドットずつ徐々に５ドット分だけ移動させる。次に、その位置から、表示物体を１ドット分だけ垂直方向に移動させ、そこから水平左方向に表示物体を１ドットずつ徐々に５ドット分だけ移動させる。そして、再び、表示物体を１ドット分だけ垂直方向に移動させてから、上述した如き動作を繰り返し実行するのである。要するに、静止画像中の表示物体を画面の水平方向に徐々に移動させる動作と、垂直方向に１ドット分だけ移動させる動作とを交互に繰り返し実行することにより、静止画像である表示物体を画面内において移動させて、画面の焼き付きを防止するのである。
【０００５】
しかしながら、かかる焼き付き防止動作によって、例えば図１（ａ）に示す如き静止画像を全体的に右方向に移動させると、画面の左端にはこの静止画像に対応した画像信号が存在しないことから、図１（ｂ）に示す如き黒の単一色表示となる帯状の入力画像無領域ＬＣが形成されてしまうという問題があった。
【特許文献１】特開２０００−２２７７７５号公報
【発明の開示】
【発明が解決しようとする課題】
【０００６】
本発明は、かかる問題を解決すべく為されたものであり、表示画像に違和感を抱かせることなく表示画面の焼き付きを防止させることができる表示画面の焼付防止方法を提供することを目的とする。
【課題を解決するための手段】
【０００７】
請求項１記載による表示画面の焼付防止方法は、入力映像信号に対応した画像を表示する表示装置の表示画面の焼き付きを防止する表示画面の焼付防止方法であって、所定表示モードにおいて前記表示画面内での前記画像の表示位置を全体的に所定方向に移動させる表示位置移動行程と、前記表示画面内において前記所定方向とは反対方向に位置する画面端部の帯状領域に補間画像を表示させる画像補間行程と、を有する。
【発明を実施するための最良の形態】
【０００８】
表示画面内での画像の表示位置を全体的に所定方向に移動させつつ、かかる表示画面内において上記所定方向とは反対方向に位置する画面端部の帯状領域に補間画像を表示させる。
【実施例１】
【０００９】
図２は、本発明による焼付防止方法に基づく表示画面の焼き付き防止機能を備えたディスプレイ装置の概略構成を示す図である。
【００１０】
図２において、表示デバイス１０は、例えばＣＲＴ(Cathode Ray Tube)、又はプラズマディスプレイパネル等からなり、その１画面（第１行〜第ｎ行、第１列〜第ｍ列）には、図３に示す如き画素Ｇ(1,1)〜Ｇ(n,m)が配置されている。
【００１１】
画素データ変換回路１は、入力映像信号を表示デバイス１０の各画素Ｇに対応した画素データに変換し、この画素データの系列からなる画素データ系列Ｄを順次、焼付防止回路２に供給する。尚、各画素毎の画素データは、その画素を発光させる際の輝度レベルを示す例えば８ビットのデータである。
【００１２】
同期検出回路３は、入力映像信号中から垂直同期信号を検出したときに垂直同期信号Ｖを発生すると共に、この入力映像信号中から水平同期信号を検出した場合には水平同期信号Ｈを発生して、これらを焼付防止回路２、フレームメモリ５及び表示ドライバ６に夫々供給する。
【００１３】
焼付防止回路２は、上記画素データ系列Ｄに対して焼き付き防止処理（後述する）を施して得られた焼付防止画素データ系列ＰＤを映像信号処理回路４に供給する。
【００１４】
映像信号処理回路４は、かかる焼付防止画素データ系列ＰＤに対して多階調化処理、省電力化処理等の各種映像信号処理を施して得られた映像信号処理画素データ系列ＵＤをフレームメモリ５に供給する。フレームメモリ５は、かかる映像信号処理画素データ系列ＵＤを順次書き込み、１フレーム分の映像信号処理画素データ系列ＵＤの書き込みが終了する度に、かかる映像信号処理画素データ系列ＵＤを１表示ライン分ずつ読み出して表示ドライバ６に供給する。表示ドライバ６は、フレームメモリ５から読み出された映像信号処理画素データ系列ＵＤに対応した画像を表示させるべき各種駆動信号を発生して表示デバイス１０に供給する。表示デバイス１０は、表示ドライバ６から供給された駆動信号に応じた画像を表示する。
【００１５】
次に、上記焼付防止回路２の詳細な動作について説明する。
【００１６】
焼付防止回路２の静止画検出回路２１は、入力映像信号によって表される画像が静止画像であるか否かを判定する。この際、入力映像信号によって表される画像が静止画像であると判定され、且つこの静止画像に対応した１フレーム分の入力映像信号が所定期間以上に亘り同一のものである場合に限り、静止画検出回路２１は、静止画モードにあることを示す静止画モード信号ＹＭを表示位置移動制御回路２２に供給する。焼付防止回路２のラインメモリ２３は、１表示ライン分（ｍ個）の画素データを夫々個別に記憶する図４に示す如き領域を有する。ラインメモリ２３は、上記画素データ系列Ｄ中における各画素データを、各表示ライン毎に、その表示ラインの第１列〜第ｍ列各々に対応した図４に示す如きアドレスＡ１〜Ａmにて示される記憶領域に個別に記憶して行く。そして、１表示ライン分の記憶が終了する度に、ラインメモリ２３は、表示位置移動制御回路２２から供給されたアドレスＡＤＲにて示されるアドレスに記憶されている画素データを順次読み出す。ラインメモリ２３は、この読み出された画素データの系列を上記焼付防止画素データ系列ＰＤとして上記映像信号処理回路４に供給する。
【００１７】
表示位置移動制御回路２２は、ラインメモリ２３に対して例えば図５に示す如き第１〜第８移動行程からなる読み出し制御を単位表示期間毎に順次繰り返し実行する。
【００１８】
第１移動行程では、表示位置移動制御回路２２は、先ず、表示デバイス１０の第１列に対応した画素データをラインメモリ２３から読み出すべく、アドレスＡ１を示すアドレスＡＤＲをラインメモリ２３に供給する。そして、表示デバイス１０の第２列〜第ｍ列各々に対応した画素データをラインメモリ２３から読み出すべく、アドレスＡ１〜Ａ(m-1)各々を示すアドレスＡＤＲを順次ラインメモリ２３に供給する。かかる制御により、第１移動行程では、図５に示す如くラインメモリ２３のアドレスＡ１〜Ａ(m-1)各々に記憶されている画素データＤ１〜Ｄ(m-1)が、表示デバイス１０の第２列〜第ｍ列各々に対応した焼付防止画素データ系列ＰＤとしてラインメモリ２３から読み出される。よって、第１移動行程の実行により、入力映像信号に基づく静止画像が全体的に右方向に１画素分だけ移動する。この際、表示デバイス１０の第１列では、第２列と同様にラインメモリ２３のアドレスＡ１に記憶されている画素データＤ１に基づく補間画像が表示される。
【００１９】
次に、第２移動行程では、表示位置移動制御回路２２は、先ず、表示デバイス１０の第１列及び第２列各々に対応した画素データをラインメモリ２３から順次読み出すべく、アドレスＡ１を示すアドレスＡＤＲを２度に亘り順次ラインメモリ２３に供給する。そして、表示デバイス１０の第３列〜第ｍ列各々に対応した画素データをラインメモリ２３から読み出すべく、アドレスＡ１〜Ａ(m-2)各々を示すアドレスＡＤＲを順次ラインメモリ２３に供給する。かかる制御により、第２移動行程では、図５に示す如くラインメモリ２３のアドレスＡ１〜Ａ(m-2)各々に記憶されている画素データＤ１〜Ｄ(m-2)が、表示デバイス１０の第３列〜第ｍ列各々に対応した焼付防止画素データ系列ＰＤとしてラインメモリ２３から読み出される。よって、第２移動行程の実行により、入力映像信号に基づく静止画像が全体的に更に右方向に１画素分だけ移動する。この際、表示デバイス１０の第１列及び第２列の各々では、第３列と同様にラインメモリ２３のアドレスＡ１に記憶されている画素データＤ１に基づく補間画像が表示される。
【００２０】
次に、第３移動行程では、表示位置移動制御回路２２は、先ず、表示デバイス１０の第１列に対応した画素データをラインメモリ２３から読み出すべく、アドレスＡ１を示すアドレスＡＤＲをラインメモリ２３に供給する。そして、表示デバイス１０の第２列〜第ｍ列各々に対応した画素データをラインメモリ２３から読み出すべく、アドレスＡ１〜Ａ(m-1)各々を示すアドレスＡＤＲを順次ラインメモリ２３に供給する。かかる制御により、第３移動行程では、図５に示す如くラインメモリ２３のアドレスＡ１〜Ａ(m-1)各々に記憶されている画素データＤ１〜Ｄ(m-1)が、表示デバイス１０の第２列〜第ｍ列各々に対応した焼付防止画素データ系列ＰＤとしてラインメモリ２３から読み出される。よって、第３移動行程の実行により、入力映像信号に基づく静止画像が全体的に左方向に１画素分だけ移動する。この際、表示デバイス１０の第１列では、第２列と同様にラインメモリ２３のアドレスＡ１に記憶されている画素データＤ１に基づく補間画像が表示される。
【００２１】
次に、第４移動行程では、表示位置移動制御回路２２は、表示デバイス１０の第１列〜第ｍ列各々に対応した画素データをラインメモリ２３から読み出すべく、アドレスＡ１〜Ａm各々を示すアドレスＡＤＲを順次ラインメモリ２３に供給する。かかる制御により、第４移動行程では、図５に示す如くラインメモリ２３のアドレスＡ１〜Ａm各々に記憶されている画素データＤ１〜Ｄmが、表示デバイス１０の第１列〜第ｍ列各々に対応した焼付防止画素データ系列ＰＤとしてラインメモリ２３から読み出される。よって、第４移動行程の実行によれば、入力映像信号に基づく静止画像が全体的に更に左方向に１画素分だけ移動する。
【００２２】
次に、第５移動行程では、表示位置移動制御回路２２は、先ず、表示デバイス１０の第１列〜第(m-1)列各々に対応した画素データをラインメモリ２３から読み出すべく、アドレスＡ２〜Ａm各々を示すアドレスＡＤＲを順次ラインメモリ２３に供給する。そして、表示デバイス１０の第ｍ列に対応した画素データをラインメモリ２３から読み出べく、アドレスＡmを示すアドレスＡＤＲをラインメモリ２３に供給する。かかる制御により、第５移動行程では、図５に示す如くラインメモリ２３のアドレスＡ２〜Ａm各々に記憶されている画素データＤ２〜Ｄmが、表示デバイス１０の第１列〜第(m-1)列各々に対応した焼付防止画素データ系列ＰＤとしてラインメモリ２３から読み出される。よって、第５移動行程の実行により、入力映像信号に基づく静止画像が全体的に更に左方向に１画素分だけ移動する。この際、表示デバイス１０の第ｍ列では、第(m-1)列と同様に、ラインメモリ２３のアドレスＡmに記憶されている画素データＤmに基づく補間画像が表示される。
【００２３】
次に、第６移動行程では、表示位置移動制御回路２２は、先ず、表示デバイス１０の第１列〜第(m-2)列各々に対応した画素データをラインメモリ２３から順次読み出すべく、アドレスＡ３〜Ａm各々を示すアドレスＡＤＲを順次ラインメモリ２３に供給する。そして、表示デバイス１０の第(m-1)列及び第ｍ列各々に対応した画素データをラインメモリ２３から読み出すべく、アドレスＡmを示すアドレスＡＤＲを２度に亘り順次ラインメモリ２３に供給する。かかる制御により、第６移動行程では、図５に示す如くラインメモリ２３のアドレスＡ３〜Ａm各々に記憶されている画素データＤ３〜Ｄmが、表示デバイス１０の第１列〜第(m-2)列各々に対応した焼付防止画素データ系列ＰＤとしてラインメモリ２３から読み出される。よって、第６移動行程の実行により、入力映像信号に基づく静止画像が全体的に更に左方向に１画素分だけ移動する。この際、表示デバイス１０の第(m-1)列及び第ｍ列各々では、第(m-2)列と同様にラインメモリ２３のアドレスＡｍに記憶されている画素データＤｍに基づく補間画像が表示される。
【００２４】
次に、第７移動行程では、表示位置移動制御回路２２は、先ず、表示デバイス１０の第１列〜第(m-1)列各々に対応した画素データをラインメモリ２３から読み出すべく、アドレスＡ２〜Ａm各々を示すアドレスＡＤＲを順次ラインメモリ２３に供給する。そして、表示デバイス１０の第ｍ列に対応した画素データをラインメモリ２３から読み出すべく、アドレスＡmを示すアドレスＡＤＲをラインメモリ２３に供給する。かかる制御により、第７移動行程では、図５に示す如くラインメモリ２３のアドレスＡ２〜Ａm各々に記憶されている画素データＤ２〜Ｄmが、表示デバイス１０の第１列〜第(m-1)列各々に対応した焼付防止画素データ系列ＰＤとしてラインメモリ２３から読み出される。よって、第７移動行程の実行により、入力映像信号に基づく静止画像が全体的に右方向に１画素分だけ移動する。この際、表示デバイス１０の第ｍ列では、第(m-1)列と同様に、ラインメモリ２３のアドレスＡmに記憶されている画素データＤmに基づく補間画像が表示される。
【００２５】
次に、第８移動行程では、表示位置移動制御回路２２は、表示デバイス１０の第１列〜第ｍ列各々に対応した画素データをラインメモリ２３から読み出すべく、アドレスＡ１〜Ａm各々を示すアドレスＡＤＲを順次ラインメモリ２３に供給する。かかる制御により、第８移動行程では、図５に示す如くラインメモリ２３のアドレスＡ１〜Ａm各々に記憶されている画素データＤ１〜Ｄmが、表示デバイス１０の第１列〜第ｍ列各々に対応した焼付防止画素データ系列ＰＤとしてラインメモリ２３から読み出される。よって、第８移動行程の実行によれば、入力映像信号に基づく静止画像が全体的に更に右方向に１画素分だけ移動し、その結果、かかる静止画像が表示される画面内の位置は、上記第４移動行程による静止画像の移動後の位置に戻る。
【００２６】
表示位置移動制御回路２２は、上記の如き第１〜第８移動行程各々を単位表示期間毎に順次実行し、これを繰り返す。これにより、焼付防止回路２は、静止画像全体を１画素ずつ徐々に２画素分だけ右方向に移動させた後、１画素ずつ徐々に４画素分だけ左方向に移動させ、再び１画素ずつ徐々に２画素分だけ右方向に移動させるが如き、焼き付き防止用の画像移動を繰り返し生じさせる。
【００２７】
この際、例えば図６（ａ）に示す如き静止画像を全体的に右方向に移動する際には、この静止画像の最左端部Ｌ１の表示を担う１列分の画素データＤ１を、静止画像を移動させた画素数の分だけ繰り返し用いることにより、図６（ｂ）に示す如き画面の左端部に形成される帯状の入力画像無領域ＬＣに表示させるべき補間画像を生成する（第１移動行程〜第３移動行程）。一方、入力された静止画像を全体的に左方向に移動する際には、この静止画像の最右端部Ｒ１の表示を担う１列分の画素データＤmを、静止画像を移動させた画素数の分だけ繰り返し用いることにより、図６（ｃ）に示す如き画面の右端部に形成される帯状の入力画像無領域ＲＣに表示させるべき補間画像を生成するようにしている（第５移動行程〜第７移動行程）。
【００２８】
従って、例えば図６（ａ）に示す如き静止画像を全体的に右方向に移動させている際には図６（ｂ）、左方向に移動させている際には図６（ｃ）に示すように、いずれにも不自然な黒表示部が存在しない画像表示が為される。
【００２９】
尚、上記実施例においては、例えば図６（ｂ）に示されるように、静止画像の最左端部に表示されている画像を繰り返し用いて、帯状の入力画像無領域ＬＣに表示させるべき補間画像を生成しているが、静止画像の左端領域に表示されている画像を左右方向にミラー反転させた画像を入力画像無領域ＬＣに表示させるようにしても良い。
【００３０】
図７は、ミラー反転させた画像を入力画像無領域に表示させる場合に、表示位置移動制御回路２２にて為されるラインメモリ２３の読み出し制御動作を示す図である。
【００３１】
尚、図７において、第２及び第６移動行程を除く他の駆動行程各々での動作は、図５に示されるものと同一であるので、以下に、第２移動行程及び第６移動行程のみ、その動作を説明する。
【００３２】
図７に示される第２移動行程では、表示位置移動制御回路２２は、先ず、表示デバイス１０の第１列に対応した画素データをラインメモリ２３から順次読み出すべく、アドレスＡ２を示すアドレスＡＤＲを順次ラインメモリ２３に供給する。次に、表示デバイス１０の第２列に対応した画素データをラインメモリ２３から順次読み出すべく、アドレスＡ１を示すアドレスＡＤＲを順次ラインメモリ２３に供給する。そして、表示デバイス１０の第３列〜第ｍ列各々に対応した画素データをラインメモリ２３から読み出すべく、アドレスＡ１〜Ａ(m-2)各々を示すアドレスＡＤＲを順次ラインメモリ２３に供給する。かかる制御により、第２移動行程では、図７に示す如くラインメモリ２３のアドレスＡ１〜Ａ(m-2)各々に記憶されている画素データＤ１〜Ｄ(m-2)が、表示デバイス１０の第３列〜第ｍ列各々に対応した焼付防止画素データ系列ＰＤとしてラインメモリ２３から読み出される。よって、第２移動行程の実行により、入力映像信号に基づく静止画像が全体的に更に右方向に１画素分だけ移動する。この際、表示デバイス１０の第１列ではラインメモリ２３のアドレスＡ２に記憶されている画素データＤ２、第２列ではアドレスＡ１に記憶されている画素データＤ１に基づく補間画像が表示される。一方、表示デバイス１０の第３列ではラインメモリ２３のアドレスＡ１に記憶されている画素データＤ１、第４列ではアドレスＡ２に記憶されている画素データＤ２に基づく補間画像が為される。すなわち、表示デバイス１０の第１列及び第２列に対応した帯状の画像領域には、第３列及び第４列に対応した画像領域に表示される画像を左右方向にミラー反転させた補間画像が表示される。
【００３３】
従って、例えば図８（ａ）に示す如き静止画像を表す映像信号が入力された場合には、この静止画像の左端領域Ｌの表示を担う画素データ（例えばＤ１、Ｄ２）に基づき、上記左端領域Ｌに表示されている画像を左右方向にミラー反転させた図８（ｂ）に示す如き補間画像が画面左端の入力画像無領域ＬＣに表示される。
【００３４】
又、図７に示される第６移動行程では、表示位置移動制御回路２２は、先ず、表示デバイス１０の第１列〜第(m-2)列各々に対応した画素データをラインメモリ２３から順次読み出すべく、アドレスＡ３〜Ａm各々を示すアドレスＡＤＲを順次ラインメモリ２３に供給する。次に、表示デバイス１０の第(m-1)列に対応した画素データをラインメモリ２３から読み出すべく、アドレスＡmを示すアドレスＡＤＲをラインメモリ２３に供給する。そして、表示デバイス１０の第ｍ列に対応した画素データをラインメモリ２３から読み出すべく、アドレスＡ(m-1)を示すアドレスＡＤＲをラインメモリ２３に供給する。かかる制御により、第６移動行程では、図７に示す如くラインメモリ２３のアドレスＡ３〜Ａm各々に記憶されている画素データＤ３〜Ｄmが、表示デバイス１０の第１列〜第(m-2)列各々に対応した焼付防止画素データ系列ＰＤとしてラインメモリ２３から読み出される。よって、第６移動行程の実行により、入力映像信号に基づく静止画像が全体的に更に左方向に１画素分だけ移動する。この際、表示デバイス１０の第(m-1)列ではラインメモリ２３のアドレスＡmに記憶されている画素データＤm、第ｍ列ではアドレスＡ(m-1)に記憶されている画素データＤ(m-1)に基づく表示が為される。一方、表示デバイス１０の第(m-3)列ではラインメモリ２３のアドレスＡ(m-1)に記憶されている画素データＤ(m-1)、第(m-2)列ではアドレスＡmに記憶されている画素データＤmに基づく補間画像が表示される。すなわち、表示デバイス１０の第(m-1)列及び第ｍ列に対応した画像領域には、第(m-3)列及び第(m-2)列に対応した画像領域に表示される画像を左右方向にミラー反転させた補間画像が表示されるのである。
【００３５】
従って、例えば図８（ａ）に示す如き静止画像を表す映像信号が入力された場合には、この静止画像の右端領域Ｒの表示を担う画素データ（例えばＤ(m-1)、Ｄm）に基づき、上記右端領域Ｒに表示されている画像を左右方向にミラー反転させた図８（ｃ）に示す如き補間画像が画面右端の入力画像無領域ＲＣに表示される。
【００３６】
尚、上記実施例においては、静止画像を全体的に移動させた際に画面の端に形成される入力画像無領域に、入力された静止画像の一部を補間画像として表示させるようにしているが、かかる入力画像無領域内を任意の色一色で表示させるようにしても良い。
【実施例２】
【００３７】
図９は、かかる点に鑑みて為された、表示画面の焼き付き防止機能を備えたディスプレイ装置の構成を示す図である。
【００３８】
尚、図９に示されるディスプレイ装置において、焼付防止回路２００を除く他の構成は図２に示されるディスプレイ装置と同一である。よって、以下に焼付防止回路２００の動作のみ説明する。
【００３９】
焼付防止回路２００の静止画検出回路２０１は、入力映像信号によって表される画像が静止画像であるか否かを判定する。この際、入力映像信号によって表される画像が静止画像であると判定され、且つこの静止画像に対応した１フレーム分の入力映像信号が所定期間以上に亘り同一のものである場合に限り、静止画検出回路２０１は、静止画モードにあることを示す静止画モード信号ＹＭを表示位置移動制御回路２０２に供給する。ラインメモリ２０３は、１表示ライン分（ｍ個）の画素データを夫々個別に記憶する図４に示す如き領域を有する。ラインメモリ２０３は、上記画素データ系列Ｄ中における各画素データを、各表示ライン毎に、その表示ラインの第１列〜第ｍ列各々に対応した図４に示す如きアドレスＡ１〜Ａmにて示される記憶領域に個別に記憶して行く。１表示ライン分の記憶が終了する度に、ラインメモリ２０３は、表示位置移動制御回路２０２から供給されたアドレスＡＤＲにて示されるアドレスに記憶されている画素データを順次読み出す。ラインメモリ２０３は、この読み出された画素データの系列を指定色画素データ挿入回路２０４に供給する。画素データ発生回路２０５は、操作装置（図示せぬ）から供給された色指定信号にて示される色を表示すべき１画素分の画素データＣＤを発生し、これを指定色画素データ挿入回路２０４に供給する。尚、上記色指定信号は、使用者が上記操作装置を用いて任意に指定した色を示す信号である。
【００４０】
表示位置移動制御回路２０２は、ラインメモリ２０３に対して例えば図１０に示す如き第１〜第８移動行程からなる読み出し制御を単位表示期間毎に順次繰り返し実行する。
【００４１】
図１０に示される第１移動行程では、表示位置移動制御回路２０２は、表示デバイス１０の第２列〜第ｍ列各々に対応した画素データをラインメモリ２０３から読み出すべく、アドレスＡ１〜Ａ(m-1)各々を示すアドレスＡＤＲを順次ラインメモリ２０３に供給する。尚、図１０に示されるように、この第１移動行程では、表示位置移動制御回路２０２は、ラインメモリ２０３に対して表示デバイス１０の第１列に対応した画素データの読み出し動作は行わない。更に、表示位置移動制御回路２０２は、現在、第１移動行程の処理中であることを示す移動行程情報信号ＭＣを指定色画素データ挿入回路２０４に供給する。かかる制御により、第１移動行程では、図１０に示す如くラインメモリ２０３のアドレスＡ１〜Ａ(m-1)各々に記憶されている画素データＤ１〜Ｄ(m-1)が、表示デバイス１０の第２列〜第ｍ列各々に対応した画素データ系列ＱＤとして読み出され、順次、指定色画素データ挿入回路２０４に供給される。この間、指定色画素データ挿入回路２０４は、移動行程情報信号ＭＣが第１移動行程を示すことから、上記画素データ発生回路２０５から供給された画素データＣＤを、第１列に対応した画素データとして上記画素データ系列ＱＤに挿入したものを焼付防止画素データ系列ＰＤとして映像信号処理回路４に供給する。よって、第１移動行程の実行により、入力映像信号に基づく静止画像が全体的に右方向に１画素分だけ移動する。この際、表示デバイス１０の第１列に対応した領域には、上記画素データＣＤに基づき、上記色指定信号によって指定された色による単一色画像が表示される。
【００４２】
次に、第２移動行程では、表示位置移動制御回路２０２は、表示デバイス１０の第３列〜第ｍ列各々に対応した画素データをラインメモリ２０３から読み出すべく、アドレスＡ１〜Ａ(m-2)各々を示すアドレスＡＤＲを順次ラインメモリ２０３に供給する。尚、図１０に示されるように、この第２移動行程では、表示位置移動制御回路２０２は、ラインメモリ２０３に対して表示デバイス１０の第１列及び第２列各々に対応した画素データの読み出し動作は行わない。更に、表示位置移動制御回路２０２は、現在、第２移動行程の処理中であることを示す移動行程情報信号ＭＣを指定色画素データ挿入回路２０４に供給する。かかる制御により、第２移動行程では、図１０に示す如くラインメモリ２０３のアドレスＡ１〜Ａ(m-2)各々に記憶されている画素データＤ１〜Ｄ(m-2)が、表示デバイス１０の第３列〜第ｍ列各々に対応した画素データ系列ＱＤとして読み出され、順次、指定色画素データ挿入回路２０４に供給される。この間、指定色画素データ挿入回路２０４は、移動行程情報信号ＭＣが第２移動行程を示すことから、上記画素データ発生回路２０５から供給された画素データＣＤを第１列及び第２列各々に対応した画素データとして上記画素データ系列ＱＤに挿入したものを焼付防止画素データ系列ＰＤとして映像信号処理回路４に供給する。よって、第２移動行程の実行により、入力映像信号に基づく静止画像が全体的に右方向に１画素分だけ移動する。この際、表示デバイス１０の第１列及び第２列各々に対応した領域には、上記画素データＣＤに基づき、上記色指定信号によって指定された色による単一色画像が表示される。
【００４３】
次に、第３移動行程では、表示位置移動制御回路２０２は、表示デバイス１０の第２列〜第ｍ列各々に対応した画素データをラインメモリ２０３から読み出すべく、アドレスＡ１〜Ａ(m-1)各々を示すアドレスＡＤＲを順次ラインメモリ２０３に供給する。尚、図１０に示されるように、この第３移動行程では、表示位置移動制御回路２０２は、ラインメモリ２０３に対して表示デバイス１０の第１列に対応した画素データの読み出し動作は行わない。更に、表示位置移動制御回路２０２は、現在、第３移動行程の処理中であることを示す移動行程情報信号ＭＣを指定色画素データ挿入回路２０４に供給する。かかる制御により、第３移動行程では、図１０に示す如くラインメモリ２０３のアドレスＡ１〜Ａ(m-1)各々に記憶されている画素データＤ１〜Ｄ(m-1)が、表示デバイス１０の第２列〜第ｍ列各々に対応した画素データ系列ＱＤとして読み出され、順次、指定色画素データ挿入回路２０４に供給される。この間、指定色画素データ挿入回路２０４は、移動行程情報信号ＭＣが第３移動行程を示すことから、上記画素データ発生回路２０５から供給された画素データＣＤを、第１列に対応した画素データとして上記画素データ系列ＱＤに挿入したものを焼付防止画素データ系列ＰＤとして映像信号処理回路４に供給する。よって、第３移動行程の実行により、入力映像信号に基づく静止画像が全体的に左方向に１画素分だけ移動する。この際、表示デバイス１０の第１列に対応した領域には、上記画素データＣＤに基づき、上記色指定信号によって指定された色による単一色画像が表示される。
【００４４】
次に、第４移動行程では、表示位置移動制御回路２０２は、表示デバイス１０の第１列〜第ｍ列各々に対応した画素データをラインメモリ２０３から読み出すべく、アドレスＡ１〜Ａm各々を示すアドレスＡＤＲを順次ラインメモリ２０３に供給する。かかる制御により、第４移動行程では、図１０に示す如くラインメモリ２０３のアドレスＡ１〜Ａm各々に記憶されている画素データＤ１〜Ｄmが、表示デバイス１０の第１列〜第ｍ列各々に対応した画素データ系列ＱＤとして読み出され、順次、指定色画素データ挿入回路２０４に供給される。この間、指定色画素データ挿入回路２０４は、移動行程情報信号ＭＣが第４移動行程を示すことから、上記画素データ系列ＱＤをそのまま焼付防止画素データ系列ＰＤとして映像信号処理回路４に供給する。よって、第４移動行程の実行によれば、入力映像信号に基づく静止画像が全体的に更に左方向に１画素分だけ移動する。
【００４５】
次に、第５移動行程では、表示位置移動制御回路２０２は、表示デバイス１０の第１列〜第(m-1)列各々に対応した画素データをラインメモリ２０３から読み出すべく、アドレスＡ２〜Ａm各々を示すアドレスＡＤＲを順次ラインメモリ２０３に供給する。尚、図１０に示されるように、この第５移動行程では、表示位置移動制御回路２０２は、ラインメモリ２０３に対して表示デバイス１０の第ｍ列に対応した画素データの読み出し動作は行わない。更に、表示位置移動制御回路２０２は、現在、第５移動行程の処理中であることを示す移動行程情報信号ＭＣを指定色画素データ挿入回路２０４に供給する。かかる制御により、第５移動行程では、図１０に示す如くラインメモリ２０３のアドレスＡ２〜Ａm各々に記憶されている画素データＤ２〜Ｄmが、表示デバイス１０の第１列〜第(m-1)列各々に対応した画素データ系列ＱＤとして読み出され、順次、指定色画素データ挿入回路２０４に供給される。この間、指定色画素データ挿入回路２０４は、移動行程情報信号ＭＣが第５移動行程を示すことから、上記画素データ発生回路２０５から供給された画素データＣＤを、第ｍ列に対応した画素データとして上記画素データ系列ＱＤに挿入したものを焼付防止画素データ系列ＰＤとして映像信号処理回路４に供給する。よって、第５移動行程の実行により、入力映像信号に基づく静止画像が全体的に左方向に１画素分だけ移動する。この際、表示デバイス１０の第ｍ列に対応した領域には、上記画素データＣＤに基づき、上記色指定信号によって指定された色による単一色画像が表示される。
【００４６】
次に、第６移動行程において、表示位置移動制御回路２０２は、表示デバイス１０の第１列〜第(m-2)列各々に対応した画素データをラインメモリ２０３から読み出すべく、アドレスＡ３〜Ａm各々を示すアドレスＡＤＲを順次ラインメモリ２０３に供給する。尚、図１０に示されるように、この第６移動行程では、表示位置移動制御回路２０２は、ラインメモリ２０３に対して表示デバイス１０の第(m-1)列及び第ｍ列各々に対応した画素データの読み出し動作は行わない。更に、表示位置移動制御回路２０２は、現在、第６移動行程の処理中であることを示す移動行程情報信号ＭＣを指定色画素データ挿入回路２０４に供給する。かかる制御により、第６移動行程では、図１０に示す如くラインメモリ２０３のアドレスＡ３〜Ａm各々に記憶されている画素データＤ３〜Ｄmが、表示デバイス１０の第１列〜第(m-2)列各々に対応した画素データ系列ＱＤとして読み出され、順次、指定色画素データ挿入回路２０４に供給される。この間、指定色画素データ挿入回路２０４は、移動行程情報信号ＭＣが第６移動行程を示すことから、上記画素データ発生回路２０５から供給された画素データＣＤを、第(m-1)列及び第ｍ列各々に対応した画素データとして上記画素データ系列ＱＤに挿入したものを焼付防止画素データ系列ＰＤとして映像信号処理回路４に供給する。よって、第６移動行程の実行により、入力映像信号に基づく静止画像が全体的に更に左方向に１画素分だけ移動する。この際、表示デバイス１０の第(m-1)列及び第ｍ列各々に対応した領域には、上記画素データＣＤに基づき、上記色指定信号によって指定された色による単一色画像が表示される。
【００４７】
次に、第７移動行程では、表示位置移動制御回路２０２は、表示デバイス１０の第１列〜第(m-1)列各々に対応した画素データをラインメモリ２０３から読み出すべく、アドレスＡ２〜Ａm各々を示すアドレスＡＤＲを順次ラインメモリ２０３に供給する。尚、図１０に示されるように、この第７移動行程では、表示位置移動制御回路２０２は、ラインメモリ２０３に対して表示デバイス１０の第ｍ列に対応した画素データの読み出し動作は行わない。更に、表示位置移動制御回路２０２は、現在、第７移動行程の処理中であることを示す移動行程情報信号ＭＣを指定色画素データ挿入回路２０４に供給する。かかる制御により、第７移動行程では、図１０に示す如くラインメモリ２０３のアドレスＡ２〜Ａm各々に記憶されている画素データＤ２〜Ｄmが、表示デバイス１０の第１列〜第(m-1)列各々に対応した画素データ系列ＱＤとして読み出され、順次、指定色画素データ挿入回路２０４に供給される。この間、指定色画素データ挿入回路２０４は、移動行程情報信号ＭＣが第７移動行程を示すことから、上記画素データ発生回路２０５から供給された画素データＣＤを、第ｍ列に対応した画素データとして上記画素データ系列ＱＤに挿入したものを焼付防止画素データ系列ＰＤとして映像信号処理回路４に供給する。よって、第７移動行程の実行により、入力映像信号に基づく静止画像が全体的に右方向に１画素分だけ移動する。この際、表示デバイス１０の第ｍ列に対応した領域には、上記画素データＣＤに基づき、上記色指定信号によって指定された色による単一色画像が表示される。
【００４８】
次に、第８移動行程では、表示位置移動制御回路２０２は、表示デバイス１０の第１列〜第ｍ列各々に対応した画素データをラインメモリ２０３から読み出すべく、アドレスＡ１〜Ａm各々を示すアドレスＡＤＲを順次ラインメモリ２０３に供給する。かかる制御により、第８移動行程では、図１０に示す如くラインメモリ２０３のアドレスＡ１〜Ａm各々に記憶されている画素データＤ１〜Ｄmが、表示デバイス１０の第１列〜第ｍ列各々に対応した画素データ系列ＱＤとして読み出され、順次、指定色画素データ挿入回路２０４に供給される。この間、指定色画素データ挿入回路２０４は、移動行程情報信号ＭＣが第８移動行程を示すことから、上記画素データ系列ＱＤをそのまま焼付防止画素データ系列ＰＤとして映像信号処理回路４に供給する。よって、第８移動行程の実行によれば、入力映像信号に基づく静止画像が全体的に更に右方向に１画素分だけ移動し、その結果、かかる静止画像が表示される画面内の位置は、上記第４移動行程による静止画像の移動後の位置に戻る。
【００４９】
表示位置移動制御回路２０２は、図１０に示す如き第１〜第８移動行程各々を単位表示期間毎に順次実行し、これを繰り返す。これにより、焼付防止回路２００は、静止画像全体を１画素ずつ徐々に２画素分だけ右方向に移動させた後、１画素ずつ徐々に４画素分だけ左方向に移動させ、再び１画素ずつ徐々に２画素分だけ右方向に移動させるが如き、焼き付き防止用の画像移動を繰り返し生じさせる。
【００５０】
この際、例えば図１１（ａ）に示す如き静止画像を全体的に右方向に移動する際に画面左端に形成される図１１（ｂ）に示す如き入力画像無領域ＬＣと、かかる静止画像を全体的に左方向に移動する際に画面右端に形成される入力画像無領域ＲＣとには、使用者によって指定された色による単一色画像が表示される。
【００５１】
以上の如く、図９に示されるディスプレイ装置においては、焼き付き防止を行うべく静止画像全体を画面の右又は左方向に移動させた際に画面の両端の領域に形成される入力画像無領域に、使用者が任意に指定した単一色画像を表示させることにより、違和感の少ない焼き付き防止用表示を実現させたのである。
【００５２】
尚、上記実施例においては、静止画像全体を画面の左右方向に移動させるが如き焼き付き防止動作を前提にして本発明を説明したが、かかる静止画像を画面の上下方向に徐々に移動させるが如き焼き付き防止動作を実施した際にも同様に適用可能である。
【図面の簡単な説明】
【００５３】
【図１】静止画像を全体的に画面の右方向に移動させた際の従来の画像表示例を示す図である。
【図２】本発明による焼付防止機能を備えたディスプレイ装置の構成を示す図である。
【図３】表示デバイス１０における画素の配列を示す図である。
【図４】ラインメモリ２３及び２０４の記憶領域を示す図である。
【図５】表示位置移動制御回路２２によるラインメモリ２３に対する読み出し制御動作の一例を示す図である。
【図６】図５に示される読み出し制御によって為される静止画像移動時の表示例を示す図である。
【図７】表示位置移動制御回路２２によるラインメモリ２３に対する読み出し制御動作の他の例を示す図である。
【図８】図７に示される読み出し制御によって為される静止画像移動時の表示例を示す図である。
【図９】本発明の他の実施例による焼付防止機能を備えたディスプレイ装置の構成を示す図である。
【図１０】図９に示される表示位置移動制御回路２０２によるラインメモリ２０３に対する読み出し制御動作の一例を示す図である。
【図１１】図９に示される読み出し制御によって為される静止画像移動時の表示例を示す図である。
【符号の説明】
【００５４】
２,200    焼付防止回路
21,201    静止画検出回路
22,202    表示位置移動制御回路
23,203    ラインメモリ
204       指定色画素データ挿入
205       画素データ発生回路
【図１】
2006284745.tif 000003
【図２】
2006284745.tif 000004
【図３】
2006284745.tif 000005
【図４】
2006284745.tif 000006
【図５】
2006284745.tif 000007
【図６】
2006284745.tif 000008
【図７】
2006284745.tif 000009
【図８】
2006284745.tif 000010
【図９】
2006284745.tif 000011
【図１０】
2006284745.tif 000012
【図１１】
2006284745.tif 000013